(57)【要約】      （修正有）【課題】簡便・低コストで洋式トイレならば誰でも容易に使用・実施でき、強力にウイルスの拡散経路を断つことができる除菌消毒用部材を提供する。【解決手段】耐水性の通気性シート材１ａで形成される平袋体１の内部に二酸化塩素放出性材料２を充填し、平袋体の片面に粘着層３を設けると共に、その表面を剥離容易な保護シート４で覆って、洋式トイレ除菌消毒用部材とする。また洋式トイレ除菌消毒用部材を２枚用意し、１枚の粘着層と保護シートを省略して、両者を隣接させて辺縁を反復屈曲可能な連結材で連結させる。【選択図】図１
0003230481.tif 000002
【実用新案登録請求の範囲】
【請求項１】
耐水性の通気性シート材で形成される平袋体の内部に二酸化塩素放出性材料を充填し、該平袋体の片面に粘着層を設けると共に、その表面を剥離容易な保護シートで覆って成ることを特徴とする洋式トイレ除菌消毒用部材。
【請求項２】
請求項１記載の洋式トイレ除菌消毒用部材２枚のうち１枚の粘着層と保護シートを省略し、両者を隣接させたその辺縁を反復屈曲可能な連結材で連結して成ることを特徴とする洋式トイレ除菌消毒用部材。
【考案の詳細な説明】
【技術分野】
【０００１】この考案は、新型コロナウイルスなど病原体の拡散を防ぐための洋式トイレ除菌消毒用部材に関する。
【背景技術】
【０００２】最近、新型コロナウイルスと称する未だワクチンや治療薬の無い新規のウイルスによる疾患の蔓延が全世界的に未曾有の脅威となっている。その予防策としていわゆる三密を避け、マスクやうがい、手洗い等を励行する他に、様々な機器類やグッズ等が提案・販売されていることは周知の通りである。【０００３】特にウイルスは桁違いに微小で空気と同じような拡散の仕方をするから、換気対策や発生源の封じ込め対策の必要性が識者からも指摘されている。
【考案の開示】
【考案が解決しようとする課題】
【０００４】この新型コロナウイルスもノロウイルス等と同様に、トイレの排泄物からも拡散することが最近の検査で確認されているが、その対策は便器やその外側を除菌消毒するものが一般的で、その効果は限定的であり、便器内の排泄物を除菌消毒することも現実的には実行が困難であった。本考案はかかる問題点を解決するために、甚だ簡便・低コストで洋式トイレならば誰でも容易に使用・実施できるような除菌消毒用部材を提供することを課題とする。
【課題を解決するための手段】
【０００５】耐水性の通気性シート材１ａで形成される平袋体１の内部に二酸化塩素放出性材料２を充填し、該平袋体１の片面に粘着層３を設けると共に、その表面を剥離容易な保護シート４で覆って、本考案の洋式トイレ除菌消毒用部材とする。【０００６】ここで言う「耐水性の通気性シート材１ａ」とは、現在よく使われている耐水性のある不織布ないし丈夫な紙状を呈するシート材であって、無数の微細貫通路構造となっているものであることから気体は通過させるが、水は表面の撥水性もあり浸水や透水に至らないものである。ウェルダー加工（融着）により容易に内容物を収めた平袋体に形成できる。【０００７】この際、内部に収める材料が、例えば顆粒体やゼリー体である場合のように、零れることなく若干の水飛沫に耐えられる場合は、防水性フィルムに小さな貫通孔を多数設けたようなものも、上記のシート材に該当、含まれるものとする。【０００８】平袋体１の内部に充填する二酸化塩素放出性材料２としては、例えば亜塩素酸ナトリウムに酸化カルシウム、水酸化ナトリウム、ゼオライト等を配合したものや二酸化塩素をゼリー体に担持したもの等が挙げられるが、これは時間とともに徐々に二酸化塩素を放出する性質がある。【０００９】この二酸化塩素は、気体のとき空気の約２．３倍の比重で、ウイルスや細菌に対し甚だ強力な滅菌作用を有するものであり、既に新型コロナ対策として一部使われているものである。【００１０】従って本考案を使用するには、このような二酸化塩素放出性材料２が充填された通気性シート材１ａからなる平袋体１を、その片面に設けられている粘着層３の保護シート４を剥がして便器の蓋５の裏側適宜位置に貼着するものとする。【００１１】なお本考案の別形態として、本考案の洋式トイレ除菌消毒用部材を２枚用意し、その１枚の粘着層３と保護シート４を省略して、両者を隣接させたその辺縁を反復屈曲可能な連結材６で連結したものを挙げることができる。その連結材６は単なる耐水性布状シートや溝付きプラスチックシートでも軸付きの蝶番でも良い。【００１２】これを便器の蓋５を立てた状態の裏側やや下方において粘着層３で貼着すると、図４に示すように、重力により、先ず折り曲がった２枚重ねの状態から、蓋５を閉めるにつれて折り目の先の貼着されてない箇所が蓋から離れてぶら下がり、蓋５を閉めて水平になった状態では、垂直にぶら下がった箇所は洗浄水流に伴う気流により揺れ動くことになる。
【考案の効果】
【００１３】本考案によれば、排泄物から伝染する新型コロナウイルス等の感染経路を甚だ簡便かつ高度に断つことができる。すなわちトイレ使用者が用を足して水洗した後もまだ２０％のウイルスは便器内に残留するといわれているが、これは次の使用者が使うときに拡散することになる。ところが本考案の除菌消毒用部材はごく簡単容易に便器の蓋に取り付けられるから、これにより蓋を閉めた状態では密閉状の便器の小空間で放出された二酸化塩素等が人に害を及ぼすことなく強力に除菌消毒効果を発揮する。またその一部がぶら下がるタイプのものでは、水洗に伴う気流によってぶら下がり箇所が揺れ動くから、ウイルスが混じった空気との接触機会が増えて、その作用を増大させる効果もある。
【考案を実施するための形態】
【００１４】表面に撥水加工を施した通気性不織布ペーパー状のシート材１ａで形成される約７ｃｍ角の略正方形の平袋体１の内部に亜塩素酸ナトリウム、酸化カルシウム、水酸化ナトリウム、ゼオライト等をブレンドした二酸化塩素放出性材料２を充填して開口部を融着密閉する。その片面に約５ｃｍ角、２ｍｍ厚の発泡ウレタン製両面粘着シートを貼着して粘着層３とし、その上に既製の剥離機能性保護シート４を貼着して製品化する。なお流通過程ではこれをプラスチックラミネートアルミ製の梱包袋内に収めるものとする。
【００１５】縦約１６ｃｍ、横約８ｃｍの略長方形ポリプロピレンフィルムの中央部を横断するような折り目となる横溝を設け、その両横に楔状切れ込みをつけたものを連結材６とし、これに上記同様の製品１枚と粘着層３及び保護シート４を省いたもの１枚を各上記折り目を隔てて全面的に貼着して、ぶら下がり型の除菌消毒用部材とする。これは水洗時の水しぶきを高度に防ぐものとなる。
【産業上の利用可能性】
【００１６】本考案の洋式トイレ除菌消毒用部材は、重要な感染源のひとつである便器からの拡散ルートを強力に断つものでニーズが高く、使い勝手も良くて低コストで量産容易であるから、産業上の利用可能性は十分にあるといえる。
【図面の簡単な説明】
【００１７】
【図１】本考案の部分断面見取図
【図２】本考案を便器に取り付けた状態を示す見取図
【図３】本考案別形態の保護シートを剥離したときの背面図
【図４】別形態の本考案を蓋に貼着して閉めるまでの推移を示す側面説明図
【符号の説明】
【００１８】１……平袋体    １ａ……通気性シート材    ２……二酸化塩素放出性材料
３……粘着層    ４……保護シート    ５……蓋    ６……連結材
【図１】
0003230481.tif 000003
【図２】
0003230481.tif 000004
【図３】
0003230481.tif 000005
【図４】
0003230481.tif 000006